(57)【要約】【課題】  棒状部材のような幅寸法が少ない商品にも確実に支持可能で、盗難が確実に防止できる盗難防止装置を提供する。【解決手段】  固定部材２１に固定する防盗手段３と、防盗手段３に接続する皮膜導電コード５と、皮膜導電コード５のループ部５ａを適宜の位置に停止可能なるストッパ手段２２とよりなり、所定の太さを有する棒状部材２ａ及び該棒状部材２ａの両端部に該棒状部材２ａよりも太く形成されてなる太径部材２ｂ、２ｃとよりなる商品２の前記棒状部材２ａにループ部５ａをストッパ手段２２により締め込むことで警告手段を待機状態とし、前記ループ部５ａを太径部材２ｂ、２ｃよりも大径になるように前記ストッパ手段２２を操作して緩ませるか或いは前記防盗手段３を固定部材２１から離脱するか更には皮膜導電コード５を切断すると、警告手段が作動するようにした。【選択図】        図１
2005228259.tif 000002
【特許請求の範囲】
【請求項１】
商品棚などの固定部材に固定可能なる防盗手段と、該防盗手段に接続されてなる皮膜導電コードと、該皮膜導電コードのループ部を適宜の位置に停止可能なるストッパ手段とより構成されてなり、
所定の太さを有する棒状部材及び該棒状部材の両端部に該棒状部材よりも太く形成されてなる太径部材とより少なくとも構成されてなる商品の前記棒状部材にループ部をストッパ手段により締め込むことで制御手段を待機状態とし、
前記ループ部を太径部材よりも大径になるように前記ストッパ手段を操作して緩ませるか或いは前記防盗手段を固定部材から離脱するか更には皮膜導電コードを切断すると、警告手段が作動することを特徴とする盗難防止装置。
【請求項２】
請求項１に記載の盗難防止装置であって、
前記ストッパ手段は、前記皮膜導電コードを挿通可能に支持してなると共に該皮膜導電コードの端部に接続された緩み感知スイッチを支持してなる有底箱状の第１ケースと、該第１ケースに支持されることで前記皮膜導電コードのループ部の緩み方向への移動を阻止し得るストッパ部及び前記緩み感知スイッチを待機状態とする操作部を有してなる有底箱状の第２ケースとより構成されてなることを特徴とする盗難防止装置。
【請求項３】
請求項２記載の盗難防止装置であって、
前記皮膜導電コードは、芯線を絶縁体で被覆してなる電線と、ガラス繊維などによりなる補強線材とを適宜組み合わせて構成されてなることを特徴とする盗難防止装置。
【請求項４】
請求項１乃至請求項３の何れか１項に記載の盗難防止装置であって、
前記防盗手段は、中空状のケースと、該ケース内に配設されてなる動作スイッチとより構成されてなり、
該動作スイッチは、前記ケースに対して常時突出する方向に付勢されて配されてなり且つケースより突出した状態で不作動状態（ＯＦＦ）となると共にケースを固定部材に取付けることでケース内に没して待機状態となるスイッチ片と、前記ケースに出没自在に配され且つケースより突出した状態で不作動状態（ＯＦＦ）となると共にケース内に押圧することで没して待機状態となる操作ピンと、前記スイッチ片及び操作ピンの双方が待機状態となることでのみ待機状態となり且つ前記スイッチ片が再びケースより突出した状態で作動状態（ＯＮ）となる制御手段と、該制御手段が作動状態（ＯＮ）になることで警告を発信する警告手段とより構成されてなり、前記操作ピンは、ケースに没した状態から突出した状態に戻しても、制御手段が不作動状態（ＯＦＦ）に復帰しないことを特徴とする盗難防止装置。
【請求項５】
請求項１乃至請求項４の何れか１項に記載の盗難防止装置であって、
前記制御手段には、スライド式の操作スイッチ部が配設されてなり、前記操作ピンをケースに没するように押圧することで、ケースの外側から前記操作スイッチ部を作動状態（ＯＮ）にのみ遠隔操作可能であることを特徴とする盗難防止装置。
【請求項６】
請求項１乃至請求項５の何れか１項に記載の盗難防止装置であって、
前記ケースには、特殊工具により、ケースの外側から前記操作スイッチ部を不作動状態（ＯＦＦ）に操作可能な復帰孔が形成されてなることを特徴とする盗難防止装置。
【請求項７】
商品棚などの固定部材に固定可能なる防盗手段と、該防盗手段に接続されてなる皮膜導電コードと、該皮膜導電コードのループ部を適宜の位置に停止可能なるストッパ手段とより構成されてなり、
閉ループ状の部材を有する商品の閉ループ状部材にループ部をストッパ手段により締め込むことで制御手段を待機状態とし、
前記ループ部を閉ループ状部材よりも大径になるように前記ストッパ手段を操作して緩ませるか或いは前記防盗手段を固定部材から離脱するか更には皮膜導電コードを切断すると、警告手段が作動することを特徴とする盗難防止装置。
【発明の詳細な説明】
【技術分野】
【０００１】
この発明は、商品に取付けられる盗難防止装置に関する。
【背景技術】
【０００２】
商品に取付けられる盗難防止装置としては、例えば、商品に両面接着テープにより取付けられる防盗手段と、該防盗手段を商品棚などの固定部材に固定するコードとより構成されてなり、動作スイッチの操作ピンを押すと待機状態にセットされる。この状態で、商品から防盗手段を取り外されると、動作スイッチが作動状態（ＯＮ）になり、防盗手段に内蔵された警報機が鳴り、店員等商品を管理している人の意に反して商品が盗難状態になったことを商品管理者に知らしめるようになっている（例えば、特許文献１参照）。
【特許文献１】実用新案登録番号第３０４２３４６号公報
【発明の開示】
【発明が解決しようとする課題】
【０００３】
しかしながら、このような従来の盗難防止装置にあっては、店員等商品を管理している人が、商品から防盗手段を外した場合、商品に両面接着テープの粘着剤が残り、除去作業が必要となる。また、眼鏡やゴルフクラブ、釣り竿、テニス用ラケット、バトミントン用ラケット、ピンポン用ラケット、万年筆など棒状の部材は、防盗手段を支持する幅寸法が少なく、支持がしにくいことになる。
【０００４】
この発明は、このような従来の技術に着目してなされたものであり、棒状部材のような幅寸法が少ない商品にも確実に支持可能で、盗難が確実に防止できる盗難防止装置を提供するものである。
【課題を解決するための手段】
【０００５】
請求項１に記載の発明は、商品棚などの固定部材に固定可能なる防盗手段と、該防盗手段に接続されてなる皮膜導電コードと、該皮膜導電コードのループ部を適宜の位置に停止可能なるストッパ手段とより構成されてなり、所定の太さを有する棒状部材及び該棒状部材の両端部に該棒状部材よりも太く形成されてなる太径部材とより少なくとも構成されてなる商品の前記棒状部材にループ部をストッパ手段により締め込むことで制御手段を待機状態とし、前記ループ部を太径部材よりも大径になるように前記ストッパ手段を操作して緩ませるか或いは前記防盗手段を固定部材から離脱するか更には皮膜導電コードを切断すると、警告手段が作動することを特徴とする。
【０００６】
請求項２に記載の発明は、請求項１に記載の盗難防止装置であって、前記ストッパ手段は、前記皮膜導電コードを挿通可能に支持してなると共に該皮膜導電コードの端部に接続された緩み感知スイッチを支持してなる有底箱状の第１ケースと、該第１ケースに支持されることで前記皮膜導電コードのループ部の緩み方向への移動を阻止し得るストッパ部及び前記緩み感知スイッチを待機状態とする操作部を有してなる有底箱状の第２ケースとより構成されてなることを特徴とする。
【０００７】
請求項３に記載の発明は、請求項２記載の盗難防止装置であって、前記皮膜導電コードは、芯線を絶縁体で被覆してなる電線と、ガラス繊維などによりなる補強線材とを適宜組み合わせて構成されてなることを特徴とする。
【０００８】
請求項４に記載の発明は、請求項１乃至請求項３の何れか１項に記載の盗難防止装置であって、前記防盗手段は、中空状のケースと、該ケース内に配設されてなる動作スイッチと、前記ケースの開口を覆う蓋体とより構成されてなり、該動作スイッチは、前記ケースに対して常時突出する方向に付勢されて配されてなり且つケースより突出した状態で不作動状態（ＯＦＦ）となると共にケースを固定部材に取付けることでケース内に没して待機状態となるスイッチ片と、前記ケースに出没自在に配され且つケースより突出した状態で不作動状態（ＯＦＦ）となると共にケース内に押圧することで没して待機状態となる操作ピンと、前記スイッチ片及び操作ピンの双方が待機状態となることでのみ待機状態となり且つ前記スイッチ片が再びケースより突出した状態で作動状態（ＯＮ）となる制御手段と、該制御手段が作動状態（ＯＮ）になることで警告を発信する警告手段とより構成されてなり、前記操作ピンは、ケースに没した状態から突出した状態に戻しても、制御手段が不作動状態（ＯＦＦ）に復帰しないことを特徴とする。
【０００９】
請求項５に記載の発明は、請求項１乃至請求項４の何れか１項に記載の盗難防止装置であって、前記制御手段には、スライド式の操作スイッチ部が配設されてなり、前記操作ピンをケースに没するように押圧することで、ケースの外側から前記操作スイッチ部を待機状態（ＯＮ）にのみ遠隔操作可能であることを特徴とする。
【００１０】
請求項６に記載の発明は、請求項１乃至請求項５の何れか１項に記載の盗難防止装置であって、前記ケースには、特殊工具により、ケースの外側から前記操作スイッチ部を不作動状態（ＯＦＦ）に操作可能な貫通孔が形成されてなることを特徴とする。
【００１１】
請求項７に記載の発明は、商品棚などの固定部材に固定可能なる防盗手段と、該防盗手段に接続されてなる皮膜導電コードと、該皮膜導電コードのループ部を適宜の位置に停止可能なるストッパ手段とより構成されてなり、閉ループ状の部材を有する商品の前記閉ループ状部材にループ部をストッパ手段により締め込むことで制御手段を待機状態とし、前記ループ部を閉ループ状部材よりも大径になるように前記ストッパ手段を操作して緩ませるか或いは前記防盗手段を固定部材から離脱するか更には皮膜導電コードを切断すると、警告手段が作動することを特徴とする。
【発明の効果】
【００１２】
請求項１に記載の発明によれば、窃盗者などが商品の棒状部材に締め込まれている皮膜導電コードのループ部を商品の棒状部材よりも太く形成されてなる太径部材をくぐり抜けさせようと、ストッパ手段の皮膜導電コードを支持した手段を壊してループ部を緩めさせようとしても、また、防盗手段そのものを固定部材から離脱させようとしても、更には、皮膜導電コードを切断しても、待機状態にある警告手段が作動して店員等商品を管理している人に盗難状態を知らしめることになり、商品の盗難防止性能が著しく向上することになる。
【００１３】
請求項２に記載の発明によれば、ストッパ手段の第１ケースに内蔵された緩み感知スイッチは、第２ケースを第１ケースに支持されることで第２ケースに有する操作部が緩み感知スイッチを待機状態にするので、第１，第２ケースの支持を解除させると、緩み感知スイッチが作動状態に変換し、防盗手段の警告手段に信号を発することになるから、商品の盗難防止性能が著しく向上することになる。また、第２ケースのストッパ部により、皮膜導電コードのループ部の緩み方向への移動を阻止し得るので、皮膜導電コードを緩ませるには、ストッパ手段そのものを壊さなければ成らず、その分、商品の盗難防止性能が著しく向上することになる。更に、第１ケースに第２ケースを支持する前は、前記皮膜導電コードを第１ケースに挿通可能に支持してなるので、棒状部材の太さが製品により変化してもループ部の大きさは自由に変えられるので、棒状部材へのストッパ手段の支持作業が簡易である。第１，第２ケースも有底箱状なので、水の浸入が阻止されやすく、緩み感知スイッチがショートしにくい。
【００１４】
請求項３に記載の発明によれば、皮膜導電コードには、補強線材が混ぜ合わされているので、皮膜導電コードを引っ張っても、曲げても断線しにくく、手でちぎることができにくい。
【００１５】
請求項４に記載の発明によれば、窃盗者などがケースに没した状態の操作ピンを何らかの工具を用いてこじり出すなどしてケースから突出した状態に戻しても、制御手段が不作動状態（ＯＦＦ）に復帰せず、商品を販売する側の意に反しての制御手段の不作動状態（ＯＦＦ）への復帰はならない。つまり、商品の盗難防止性能が著しく向上することになる。盗難防止装置の動作中、固定部材から防盗手段を取り外されると、スイッチ片をケース内に押し込んでいた押圧力がなくなるので、スイッチ片が初期状態、つまりケースより突出した状態に戻ることにより、固定部材から防盗手段が外されたことが検知され、防盗手段に内蔵された警告手段が警告を発信し、店員等商品を管理している人に盗難状態になったことを確実に知らせることになる。
【００１６】
請求項５に記載の発明によれば、ケース内の制御手段には、スライド式の操作スイッチ部が配設されてなり、前記操作ピンをケースに没するように押圧することで、ケースの外側から前記制御手段を待機状態にのみ遠隔操作可能である。換言すると、操作ピンのみを引いても、操作スイッチ部から操作ピンが離れるだけなので、制御手段の待機状態が保持され且つ不作動状態（ＯＦＦ）に戻らない。つまり、商品の盗難防止性能が著しく向上することになる。
【００１７】
請求項６に記載の発明によれば、ケースには、特殊工具により、ケースの外側から前記操作スイッチ部を不作動状態（ＯＦＦ）に操作可能な貫通孔が形成されてなるので、特殊工具がなければ、ケースの外側から前記操作スイッチ部を不作動状態（ＯＦＦ）に復帰操作することができない。つまり、商品を販売する側の意に反しての制御手段の不作動状態（ＯＦＦ）へ復帰できず、商品の盗難防止性能が著しく向上することになるばかりか、商品を販売する側の意で、固定部材から防盗手段を外す場合の制御手段の不作動状態（ＯＦＦ）への操作が容易となり、商品を販売する側の意に従い、容易に操作可能となる。
【００１８】
請求項７に記載の発明によれば、窃盗者などが商品の閉ループ状部材に締め込まれている皮膜導電コードのループ部を商品の閉ループ状部材からくぐり抜けさせようと、ストッパ手段の皮膜導電コードを支持した手段を壊してループ部を緩めさせようとしても、また、防盗手段そのものを固定部材から離脱させようとしても、更には、皮膜導電コードを切断しても、待機状態にある警告手段が作動して店員等商品を管理している人に盗難状態を知らしめることになり、商品の盗難防止性能が著しく向上することになる。
【発明を実施するための最良の形態】
【００１９】
棒状部材のような幅寸法が少ない商品にも確実に支持可能で、盗難が確実に防止できる盗難防止装置を提供するという目的を、商品棚などの固定部材に固定可能なる防盗手段と、該防盗手段に接続されてなる皮膜導電コードと、該皮膜導電コードのループ部を適宜の位置に停止可能なるストッパ手段とより構成されてなり、所定の太さを有する棒状部材及び該棒状部材の両端部に該棒状部材よりも太く形成されてなる太径部材とより少なくとも構成されてなる商品の前記棒状部材にループ部をストッパ手段により締め込むことで警告手段を待機状態とし、前記ループ部を太径部材よりも大径になるように前記ストッパ手段を操作して緩ませるか或いは前記防盗手段を固定部材から離脱するか更には皮膜導電コードを切断すると、警告手段が作動することにより実現した。
【実施例１】
【００２０】
図１〜図１０は、この発明の一実施形態を示す図である。符号１は、盗難防止装置であって、該盗難防止装置１は、商品棚などの固定部材２１に固定可能なる防盗手段３と、該防盗手段３に接続されてなる皮膜導電コード５と、該皮膜導電コード５のループ部５ａを適宜の位置に停止可能なるストッパ手段２２とより構成されてなり、所定の太さを有する棒状部材２ａ及び該棒状部材２ａの両端部に該棒状部材２ａよりも太く形成されてなる太径部材２ｂ、２ｃとより少なくとも構成されてなる「商品」である眼鏡２の前記棒状部材２ａにループ部５ａをストッパ手段２２により締め込むことで後述する制御手段１０を待機状態とし、前記ループ部５ａを太径部材２ｂ、２ｃよりも大径になるように前記ストッパ手段２２を操作して緩ませるか或いは前記防盗手段７を固定部材２１から離脱するか更には皮膜導電コード５を切断すると、後述する警告手段１１が作動するように概略構成されている。
【００２１】
前記眼鏡２として、図１に示すように、耳に引っ掛ける太径部材２ｃは、レンズ２ｄ、２ｄを支持したヒンジである太径部材２ｂと同じように棒状部材２ａよりも上下寸法が大きく形成されているので、棒状部材２ａと太径部材２ｂ、２ｃとの境２ｅは図２に示すように段になっている。
【００２２】
前記防盗手段３は、中空状のケース６と、該ケース６内に配設されてなる動作スイッチ７とより構成されてなる。
【００２３】
前記ケース６は、合成樹脂により平板状の第１ケース６ａと、有底箱状の第２ケース６ｂとより二分割中空箱状に形成されてなり、第１ケース６ａの底面６ｃには、ビス１５により第１ケース６ａと第２ケース６ｂとが固持されてなる。第１ケース６ａと第２ケース６ｂとの合わせ目に後述する操作ピン９の出没可能なる挿通孔６ｄが形成されている。第１ケース６ａには、第２ケース６ｂ側に挿通した３個の貫通孔１６が形成されている。また、第１ケース６ａの底面６ｃには、シート状の両面テープ１８が貼付され、該両面テープ１８には、剥がし易い非接着性のテープ１７が覆っている。前記両面テープ１８及びテープ１７には、スイッチ片８用の貫通孔１８ａ，１７ａがそれぞれ形成されている。
【００２４】
前記動作スイッチ７は、スイッチ片８と、操作ピン９と、前記した制御手段１０と、前記した警告手段１１と、スイッチ本体１３とより構成されてなる。動作スイッチ７は、スイッチ片８及び操作ピン９双方がケース６内に押し込まれた時に待機状態となり、スイッチ片８がケース６から再び突出した信号か、ストッパ手段２２の緩み感知スイッチ２９が作動状態（ＯＮ）になる信号か、或いは被覆導電コード５が切断されるなどした時に生じる短絡を検出する回路からの信号の何れかの信号が入力された時に、作動状態（ＯＮ）になる。
【００２５】
前記スイッチ片８は、前記ケース６の第１ケース６ａの底面６ｃから突出する方向に常時付勢され且つ該底面６ｃから没することが自在なるように配されている。該スイッチ片８が、第１ケース６ａの底面６ｃより突出した状態では、前記制御手段１０が不作動状態（ＯＦＦ）となり、スイッチ片８が、第１ケース６ａの底面６ｃを固定部材２１に取付けることで固定部材２１に押されて（或いはケース６の自重で押されて）底面６ｃより没した状態となって前記制御手段１０が待機状態となる。
【００２６】
前記操作ピン９は、前記ケース６の第１ケース６ａと第２ケース６ｂとの合わせ目相互に夫々凹状に形成されることで形成されてなる貫通孔６ｄに出没自在に配されていて、前記スイッチ本体１３は、操作ピン９がケース６の第１ケース６ａと第２ケース６ｂより図３及び図４に実線で示す突出した状態で不作動状態（ＯＦＦ）となり、ケース６の第１ケース６ａと第２ケース６ｂに没した図４に二点鎖線で示す状態で待機状態となる。
【００２７】
前記制御手段１０、警告手段１１そしてスイッチ本体１３は、リチウム電池等の小型電池が使用され、前記スイッチ片８及び操作ピン９の双方が待機状態となった状態で、スイッチ片８が突出したことでのみ作動状態（ＯＮ）となり、制御手段１０及びスイッチ本体１３により警告手段１１が、前記貫通孔１６を通して警告を発するように形成されてなる。
【００２８】
前記スイッチ本体１３には、図４に示すように、スライド式の操作スイッチ部１２が配設されてなり、前記操作ピン９をケース６の第１ケース６ａと第２ケース６ｂとから没するように店員等商品を管理している人が押圧する(図４の下側に下降させる)ことで、ケース６の外側から前記制御手段１０を作動状態（ＯＮ）にのみ遠隔操作可能である。前記操作ピン９は、ケース６の第１ケース６ａと第２ケース６ｂとの壁面に没した二点鎖線で示す状態から何らかの工具で実線で示す突出した状態に戻しても、操作ピン９の押圧部９ａが操作スイッチ部１２より離れるだけなので、制御手段１０が不作動状態（ＯＦＦ）には復帰しない。
【００２９】
前記第１ケース６ａの底面６ｃには、図示しない特殊工具により、ケース６の外側から前記操作スイッチ部１２を元の位置に復帰させて、制御手段１０を不作動状態（ＯＦＦ）に操作可能な小さな復帰孔１４が形成されてなる。該復帰孔１４は、後述する両面テープ１８によって覆われているが、店員等商品を管理している人が操作する特殊工具はかかる両面テープ１８を突き抜けて操作可能である。
【００３０】
前記皮膜導電コード５は、一端にループ部５ａが形成され且つ他端が防盗手段３に支持された所定の長さを有し、芯線５ｂを絶縁体５ｃで被覆してなる電線５ｄと、ガラス繊維などによりなる補強線材５ｅとを適宜組み合わせて、「絶縁体」である合成樹脂フィルム５ｆで被覆されてなる。皮膜導電コード５の途中には、カールコード部５ｇが形成され、皮膜導電コード５全体が伸縮自在となっている。
【００３１】
前記ストッパ手段２２は、図５及び図６に示すように、それぞれがタッピングスクリュウ３７により支持された第１ケース２３と、第２ケース２４とよりなり、前記皮膜導電コード５を挿通する貫通孔２５、２６（符号２６は図１参照）がそれぞれの端部に形成されている。
【００３２】
前記第１ケース２３は、方形の有底箱状に形成され且つその対向する両端部には、図７に示すように、貫通孔２５、２６を形成する凹溝２５ａ，２６ａが形成されている。また、該第１ケース２３には、複数のピン２７が突設されていて、該ピン２７により該皮膜導電コード５が蛇行した状態に支持することで容易に抜けないようにしている。符号２８は、凹溝２５ａ側に形成された前記ビス３７の挿通されるボスで、該ボス２８，２８は、前記皮膜導電コード５のループ部５ａの根元となるように近接して二本の皮膜導電コード５のみが挿通できるようにしてある。符号２９は、皮膜導電コード５の端部に接続された緩み感知スイッチで、第１ケース２３に形成された囲い３０の中に入り込んで支持されている。符号３１は、前記凹溝２６ａ側に形成された前記タッピングスクリュウ３７の挿通される第２ボスである。
【００３３】
前記第２ケース２４は、方形の有底箱状に形成され且つその対向する両端部には、図８に示すように、貫通孔２５、２６を形成する凹溝２５ｂ，２６ｂが形成されている。また、該第１ケース２４には、複数のピン３２が突設されていて、前記ピン２７によって蛇行支持された皮膜導電コード５が容易に抜けないようにしている。符号３３は、凹溝２５ｂ側に形成された前記ビス３７の螺結可能なるボスで、該ボス３３，３３は、前記皮膜導電コード５のループ部５ａの根元となるように近接して二本の皮膜導電コード５のみが挿通できるようにしてある。符号３４は、前記ボス３３，３３に対向した凹溝２６ｂ側に形成された第２ボスで、ボス３３と共に第１ケース２３側に差し込んだタッピングスクリュウ３７を螺結可能である。符号３５は、前記第１ケース２３に第２ケース２４を支持することで前記皮膜導電コード５の合成樹脂フィルム５ｆを押圧してループ部５ａの緩み方向への移動を阻止し得るように第２ケース２４の内面に形成されてなる断面鋸歯状のストッパ部である。符号３６は、前記第１ケース２３に第２ケース２４を支持することで、前記緩み感知スイッチ２９を押して、待機状態とするように、第２ケース２４の内面に形成されてなる「操作部」である操作ピンである。
【００３４】
次に、このように構成されてなる盗難防止装置１の作用について、説明する。
【００３５】
図１は、本実施例の盗難防止装置１の使用状態の一例を示す図である。まず、店員等この盗難防止装置１を仕掛ける人が、皮膜導電コード５のループ部５ａを眼鏡２の棒状部材２ａの直径に合わせて締め込ませる。次に、防盗手段３のケース６の底面６ｃに貼り付けられたテープ１７を剥がして両面テープ１８により商品棚等の固定部材２１に防盗手段３のケース６の底面６ｃを固定することで、スイッチ片８がケース６の底面６ｃから埋没し、制御手段１０が待機状態になる。こうして、盗難防止装置１の取付が完了した後に、操作ピン９を押して、ケース６内に埋没させることで、スイッチ防盗手段１３が待機状態になる。
【００３６】
この状態で、窃盗者などがケース６に没した状態の操作ピン９を何らかの工具を用いてこじり出すなどしてケース６から突出した状態に戻しても、操作ピン９の押圧部９ａが操作スイッチ部１２より離れるだけなので、制御手段１０が不作動状態（ＯＦＦ）に復帰せず、眼鏡２を販売する側の意に反しての制御手段１０の不作動状態（ＯＦＦ）への復帰はならないで、盗難防止装置１は動作中である。つまり、眼鏡２の盗難防止性能が著しく向上することになる。
【００３７】
盗難防止装置１の動作中、窃盗者などが眼鏡２の棒状部材２ａに締め込まれている皮膜導電コード５のループ部５ａの直径を眼鏡２の棒状部材２ａよりも太く形成されてなる太径部材２ｂ或いは２ｃをくぐり抜けさせようと、ストッパ手段２２の皮膜導電コード５を支持した手段である第１，第２ケース２３，２４を締結したタッピングスクリュウ３７を緩めれば、操作ピン３６を押している緩み感知スイッチ２９と操作ピン３６との間に隙間ができて緩み感知スイッチ２９を押さない状態になるから、緩み感知スイッチ２９は作動状態（ＯＮ）になって、防盗手段３に内蔵された警告手段１１が鳴り、店員等商品を管理している人に盗難状態になったことを知らせることになる。つまり、この状態は、ストッパ手段２２を壊してループ部５ａを緩めさせようとした状態である。
【００３８】
また、防盗手段３を固定部材２１から両面テープ１８の接着力に抗して無理に外すと、スイッチ片８への付勢力が解かれるので、スイッチ片８が初期状態、つまり、ケース６の底面６ｃから突出した状態に戻る。これにより、固定部材２１から防盗手段３が外されたことが検知され、防盗手段３に内蔵された警告手段１１が鳴り、店員等商品を管理している人に盗難状態になったことを知らせることになる。
【００３９】
更に、皮膜導電コード５そのものを引きちぎるなど切断すると、図示しない回路により防盗手段３に内蔵された警告手段１１が鳴り、店員等商品を管理している人に盗難状態になったことを知らせることになる。このようにして、商品の盗難防止性能が著しく向上することになる。
【００４０】
また、第２ケース２４のストッパ部３５により、皮膜導電コード５のループ部５ａの緩み方向への移動を阻止し得るので、皮膜導電コード５を緩ませるには、ストッパ手段２２そのものを壊さなければ成らず、その分、眼鏡２の盗難防止性能が著しく向上することになる。
【００４１】
更に、第１ケース２３に第２ケース２４を支持する前は、前記皮膜導電コード５を第１ケース２３に挿通可能に支持してなるので、棒状部材２ａの太さが製品により変化してもループ部５ａの大きさは自由に変えられるので、棒状部材２ａへのストッパ手段２２の支持作業が簡易である。第１，第２ケース２３，２４も有底箱状なので、水の浸入が阻止されやすく、緩み感知スイッチ２９がショートしにくい。
【００４２】
更に、皮膜導電コード５には、補強線材５ｅが混ぜ合わされているので、皮膜導電コード５を引っ張っても、曲げても断線しにくく、手でちぎることができにくい。
【００４３】
更に、防盗手段３のケース６内の制御手段１０には、スライド式の操作スイッチ部１２が配設されてなり、前記操作ピン９をケース６に没するように押圧することで、ケース６の外側から前記制御手段１０を待機状態にのみ遠隔操作可能である。換言すると、操作ピン９のみを引いても、操作スイッチ部１２から操作ピン９が離れるだけなので、制御手段１０の待機状態が保持され且つ不作動状態（ＯＦＦ）にならない。つまり、眼鏡２の盗難防止性能が著しく向上することになる。
【００４４】
更に、ケース６には、図示しない特殊工具により、ケース６の外側から前記操作スイッチ部１２を不作動状態（ＯＦＦ）に操作可能な復帰孔１４が形成されてなるので、特殊工具がなければ、ケース６の外側から前記操作スイッチ部１２を不作動状態（ＯＦＦ）に復帰操作することができない。つまり、眼鏡２を販売する側の意に反しての制御手段１０の不作動（ＯＦＦ）状態への復帰はならず、眼鏡２の盗難防止性能が著しく向上することになるばかりか、眼鏡２を販売する側の意で、固定部材２１から防盗手段３を外す場合の制御手段１０の不作動状態（ＯＦＦ）への操作が容易となり、眼鏡２を販売する側の意に従い、容易に操作可能となる。
【００４５】
前記ケース６は、二分割されてなり、ビス１５により締結固持されてなるので、ケース６によって動作スイッチ７を覆われた状態では、短時間での締結具解除は事実上不可能であり、盗難防止性能が著しく向上する。また、動作スイッチ７の故障や電池切れによる交換などの場合は、一般的な締結具１５でケース６を分割できるので、メンテナンスが容易となる。
【００４６】
前記皮膜導電コード５の途中には、カールコード部５ｇが形成されてなるので、皮膜導電コード５全体が伸縮自在であり、不用意な断線の生じ得る可能性が少なくなる。
【実施例２】
【００４７】
図１１は、本発明の第２実施例であって、第１実施例との主な相違点は、盗難防止装置１で守るべき商品を眼鏡２に限定されるのではなく、ゴルフクラブ４０の盗難を防止する例を示したもので、該ゴルフクラブ４０も、「棒状部材」であるシャフト４０ａの両端部に、シャフト４０ａの直径よりも太い「太径部材」であるグリップ４０ｂ、ヘッド４０ｃが形成されている。
【００４８】
従って、こうした状態で展示してあるゴルフクラブ４０を盗もうとした場合には、窃盗者などがケース６に没した状態の操作ピン９を何らかの工具を用いてこじり出すなどしてケース６から突出した状態に戻しても、操作ピン９の押圧部９ａが操作スイッチ部１２より離れるだけなので、制御手段１０が不作動状態（ＯＦＦ）に復帰せず、ゴルフクラブ４０を販売する側の意に反しての制御手段１０の不作動状態（ＯＦＦ）への復帰はならないで、盗難防止装置１は動作中である。つまり、ゴルフクラブ４０の盗難防止性能が著しく向上することになる。
【００４９】
盗難防止装置１の動作中、窃盗者などがゴルフクラブ４０のシャフト４０ａに締め込まれている皮膜導電コード５のループ部５ａの直径をゴルフクラブ４０のシャフト２ａよりも太く形成されてなるグリップ４０ｂ或いはヘッド４０ｃをくぐり抜けさせようと、ストッパ手段２２の皮膜導電コード５を支持した手段である第１，第２ケース２３，２４を締結したタッピングスクリュウ３７を緩めれば、操作ピン３６を押している緩み感知スイッチ２９と操作ピン３６との間に隙間ができて緩み感知スイッチ２９を押さない状態になるから、緩み感知スイッチ２９は作動状態（ＯＮ）になって、防盗手段３に内蔵された警告手段１１が鳴り、店員等商品を管理している人に盗難状態になったことを知らせることになる。つまり、この状態は、ストッパ手段２２を壊してループ部を緩めさせようとした状態である。また、防盗手段３を固定部材２１から両面テープ１８の接着力に抗して無理に外すと、スイッチ片８への付勢力が解かれるので、スイッチ片８が初期状態、つまり、ケース６の底面６ｃから突出した状態に戻る。これにより、固定部材２１から防盗手段３が外されたことが検知され、防盗手段３に内蔵された警告手段１１が鳴り、店員等商品を管理している人に盗難状態になったことを知らせることになる。更に、皮膜導電コード５そのものを引きちぎるなど切断すると、図示しない回路により防盗手段３に内蔵された警告手段１１が鳴り、店員等商品を管理している人に盗難状態になったことを知らせることになる。このようにして、商品の盗難防止性能が著しく向上することになる。
【実施例３】
【００５０】
図１２は、本発明の第３実施例であって、第１実施例との主な相違点は、盗難防止装置１の皮膜導電コード５のループ部５ａの使い方が異なることにより、鞄５０などの盗難を防止する例を示したものである。鞄５０は、鞄防盗手段５１と、該鞄防盗手段５１に取付けられた略Ｕ字状をした「閉ループ状部材」である取っ手５２とより大略形成されているが、該取っ手５２の周囲を囲むようにした後、ループ部５ａを通過させるようにしてからストッパ手段２２により締め込むと、図１２に示すようになる。尚、図１２には、防盗手段３は図示していないが、図１及び図１１と同じ状態で、防盗手段３は固定部材２１に支持されているものとする。
【００５１】
従って、こうした状態で展示してある鞄５０を盗もうとした場合には、窃盗者などが防盗手段３のケース６に没した状態の操作ピン９を何らかの工具を用いてこじり出すなどしてケース６から突出した状態に戻しても、操作ピン９の押圧部９ａが操作スイッチ部１２より離れるだけなので、制御手段１０が不作動状態（ＯＦＦ）に復帰せず、鞄５０を販売する側の意に反しての制御手段１０の不作動状態（ＯＦＦ）への復帰はならないで、盗難防止装置１は動作中である。つまり、鞄５０の盗難防止性能が著しく向上することになる。
【００５２】
盗難防止装置１の動作中、窃盗者などが鞄５０の取っ手５２に締め込まれている皮膜導電コード５のループ部５ａを緩めてくぐり抜けさせようとして、ストッパ手段２２の皮膜導電コード５を支持した手段である第１，第２ケース２３，２４を締結したタッピングスクリュウ３７を緩めれば、操作ピン３６を押している緩み感知スイッチ２９と操作ピン３６との間に隙間ができて緩み感知スイッチ２９を押さない状態になるから、緩み感知スイッチ２９は作動状態（ＯＮ）になって、防盗手段３に内蔵された警告手段１１が鳴り、店員等商品を管理している人に盗難状態になったことを知らせることになる。つまり、この状態は、ストッパ手段２２を壊してループ部を緩めさせようとした状態である。また、防盗手段３を固定部材２１から両面テープ１８の接着力に抗して無理に外すと、スイッチ片８への付勢力が解かれるので、スイッチ片８が初期状態、つまり、ケース６の底面６ｃから突出した状態に戻る。これにより、固定部材２１から防盗手段３が外されたことが検知され、防盗手段３に内蔵された警告手段１１が鳴り、店員等商品を管理している人に盗難状態になったことを知らせることになる。更に、皮膜導電コード５そのものを引きちぎるなど切断すると、図示しない回路により防盗手段３に内蔵された警告手段１１が鳴り、店員等商品を管理している人に盗難状態になったことを知らせることになる。このようにして、商品の盗難防止性能が著しく向上することになる。
【産業上の利用可能性】
【００５３】
警告手段１１として、前記３つの実施例は、ブザーが鳴るタイプとして説明したが、これに限定されるものではなく、警告点灯するものでも良いし、ブザーでなく、何らかの意思表示、例えば「注意！」とか「外されました。」とかの言葉や、「万引き！」と絶叫するなどのスピーカ効果を発するものでも良い。また、店内の集中管理室のコンピュータや盗難防止保安員らに盗難状態を知らしめる発信を行うものでも良い。
【００５４】
また、ストッパ手段２２は、第１ケース２３と第２ケース２４とに分割され、ボス２８，３３，第２ボス３１，３４が都合８個形成され、タッピングスクリュウ３７も４本必要な実施例を説明したが、第１ケース２３と第２ケース２４とが薄肉ヒンジで折りたたみ自在な一体に形成されるものでも良いし、ボスが一カ所それぞれに形成されることで、タッピングスクリュウ３７も１本のみとしても良い。ピン２７，３２も、適宜の配置と個数が考えられるものであって、開示した実施例に限定されるものではない。
【００５５】
また、眼鏡２やゴルフクラブ４０を例にして説明したが、これに限定されるものではなく、釣り竿、テニス用ラケット、バトミントン用ラケット、ピンポン用ラケット、万年筆・ボールペンのキャップなど棒状の部材中に該棒状部材よりも直径が太い太径部材を有するものの防盗手段としても用いれるものである。
【図面の簡単な説明】
【００５６】
【図１】この発明の第１実施例の盗難防止装置を商品である眼鏡に固定した状態を示す斜視図。
【図２】図１の盗難防止装置のループ部と眼鏡の棒状部材と太径部材との段部を示す正面図。
【図３】図１の盗難防止装置のケース及び動作スイッチを示す底面図。
【図４】図３の制御手段と操作ピンとの関係を示す説明図。
【図５】図１の盗難防止装置の防止手段と被覆導電コードとを示す一部分解斜視図。
【図６】図５の矢視VIにかかる正面図。
【図７】図６の矢視VIIにかかる平面図。
【図８】図６の矢視VIIIにかかる上面図。
【図９】図８のIX−IX線にかかる断面図。
【図１０】図７のＸ−Ｘ線にかかる断面図。
【図１１】この発明の第２実施例の盗難防止装置を商品である眼鏡に固定した状態を示す斜視図。
【図１２】この発明の第３実施例の盗難防止装置を商品である眼鏡に固定した状態を示す斜視図。
【符号の説明】
【００５７】
１  盗難防止装置
２  眼鏡（商品）
３  防盗手段
５  皮膜導電コード
５ａ  ループ部
５ｂ  芯線
５ｃ  絶縁体
５ｄ  電線
５ｅ  補強線材
６  ケース
７  動作スイッチ
８  スイッチ片
９、３６  操作ピン
１０  制御手段
１１  警告手段
１２  操作スイッチ部
１４  復帰孔
２１  固定部材
２２  ストッパ手段
２３  第１ケース
２４  第２ケース
２９  緩み感知スイッチ
３５  ストッパ部
４０  ゴルフクラブ（商品）
４０ａ  シャフト（棒状部材）
４０ｂ  グリップ（太径部材）
４０ｃ  ヘッド（太径部材）
５０  鞄（商品）
５２  取っ手（閉ループ状部材）
【図１】
2005228259.tif 000003
【図２】
2005228259.tif 000004
【図３】
2005228259.tif 000005
【図４】
2005228259.tif 000006
【図５】
2005228259.tif 000007
【図６】
2005228259.tif 000008
【図７】
2005228259.tif 000009
【図８】
2005228259.tif 000010
【図９】
2005228259.tif 000011
【図１０】
2005228259.tif 000012
【図１１】
2005228259.tif 000013
【図１２】
2005228259.tif 000014